(57)【要約】【課題】男性が、女性を、二つのポジションの運動経路に沿い、ダンスの種目にあわせてリードする技術を練習できる、社交ダンス練習器具を提供する。【解決手段】本発明は、男性が、男性身体具を介して、擬似パートナー具を、右手を用いて、男性の鳩尾から右脇腹までの、右腹の周りでリードできる、構造を有する。擬似パートナー具は、女性のアンダーバストの高さの胴体に近似した胴体部、背中中央や肩甲骨・上腕に近似した、落下しない背中部や肩甲骨・上腕部を持つ構造である。擬似パートナー具は、ポジションの運動経路を倣う部材、あるいは並進回転機構により動かされる。擬似パートナー具の鳩尾相当部は、男性身体具の右腹と、床に垂直に接触させられながら、動かされる。したがい、擬似パートナー具は、クローズドポジションとプロムナードポジションの間を、床に水平な面内で並進し、独立に回転して動く。【選択図】図１
2010099507.tif 000002
【特許請求の範囲】
【請求項１】
男性と女性が組んだまま踊る社交ダンスにおいて、
Ａ．擬似パートナー具は、
ａ．後傾する自然体形の前記女性の身体の、アンダーバスト付近の高さにある胴体に、そのままあるいは部分的に盤状に、近似された盤状胴体部を基盤として備え、
ｂ．前記基盤は、前記アンダーバストの高さにある、背中中央に部分的に近似された背中部、あるいは左肩甲骨から左上腕までに部分的に近似された肩甲骨・上腕部のうち、少なくとも一方を備え、
ｃ．前記背中部あるいは前記肩甲骨・上腕部のうち、少なくとも一方の表面は、前記女性が持つ前記背中中央、前記左肩甲骨から前記左上腕までの表面形状とは異なる、表面処理がされた凹凸表面、
あるいは前記表面に取り付けられた突起、握り、庇板、
あるいは前記表面から取り除いて形成された引っ掛かり部位、
などからなる、落下防止部材のうち、少なくとも一方を備え、
ｄ．前記基盤は、ボディフォロー構造を備え、
前記ボディフォロー構造と、男性身体具が備えたボディリード構造が、床に垂直あるいは床に水平な方向の、表面に面ファスナーや磁性材や粘着材などの接触維持部材を付着した、あるいは間隙の摩擦抵抗を大きくした、接触線あるいは接触面を持つ構造により、接触を維持し、
これにより、前記擬似パートナー具の仮想垂直身体軸は床に垂直に保つことができ、
ｅ．前記ボディフォロー構造は、伸縮性あるいは変形性を有することもある、女性側トレース設置部と女性側トレース部か、女性側揺動部と女性側接触部か、のうち少なくとも一方を備え、
ｆ．前記女性側トレース部は、前記ボディリード構造が備えた男性側トレース部と協働し、前記擬似パートナー具がクローズドポジションとプロムナードポジションの間を並進し独立に回転する運動経路（本発明では、ＣＰ−ＰＰ運動経路と呼称される）を倣う、構造（本発明では、この構造を倣い構造と呼称する）を構成し、
前記女性側トレース設置部は、前記女性側トレース部を、前記倣い構造に設置し、
ｇ．前記女性側接触部は、前記女性のアンダーバストの表面を近似する柱体からなり、男性側接触部と床に垂直な接触面を有し、
前記女性側揺動部は、前記ボディリード構造が備えた男性側揺動部と、伸縮材、連結材、スライド連結材、回転軸、軸受、蝶番、歯車、クランク機構などのリンク機構材を共有し、
Ｂ．前記男性身体具は、
ａ．前記男性のアンダーバスト付近の腹に装着される、腹パッチあるいは冶具ベルトのうち少なくとも一方を備え、
ｂ．前記腹パッチあるいは前記冶具ベルトのうち少なくとも一方は、前記ボディリード構造を備え、
ｃ．前記ボディリード構造は、伸縮性あるいは変形性を有することもある、男性側トレース設置部と前記男性側トレース部か、前記男性側揺動部と前記男性側接触部か、のうち少なくとも一方を備え、
ｄ．前記男性側トレース部は、前記女性側トレース部と協働して、前記倣い構造を構成し、
前記男性側トレース設置部は、前記男性側トレース部を、前記倣い構造に設置し、
ｅ．前記男性側接触部は、前記男性のアンダーバストの表面を近似する柱体からなり、前記女性側接触部と床に垂直な接触面を有し、
前記男性側揺動部は、前記女性側揺動部と、リンク機構材を共有し、前記女性側揺動部と協働して、前記擬似パートナー具が前記ＣＰ−ＰＰ運動経路に沿い並進し独立に回転する構造（本発明では、並進回転機構と呼称される）を構成し、
Ｃ．前記男性が、前記擬似パートナー具を右手でリードする時、
ａ．前記倣い構造か、あるいは、
ｂ．前記並進回転機構、のうち、少なくとも一方により、
前記男性が、前記擬似パートナー具を、前記ＣＰ−ＰＰ運動経路に沿い並進し独立に回転させ、床に水平な面内でリードできる、社交ダンス練習器具
【請求項２】
前記擬似パートナー具は、重心位置を変えるため、
ａ．バランサー部を備える、あるいは、
ｂ．バランス材が、前記擬似パートナー具に付加される、あるいは前記擬似パートナー具から除去される、
構造を有することにより、垂直性の維持の安定性を増すことができる、
請求項１に記載の社交ダンス練習器具。
【請求項３】
前記擬似パートナー具は
ａ．前記基盤は、薄い複数枚の前記盤状胴体部が、支柱を用い補強、積層された構造
ｂ．あるいは、厚めの前記盤状胴体部が部分的にくり抜かれた、中空構造、
ｃ．あるいは、前記背中部、あるいは前記肩甲骨・上腕部のうち少なくとも１つの部が、前記盤状胴体部から分離されないで、折りたたまれる構造、
ｄ．あるいは、前記背中部、あるいは前記肩甲骨・上腕部のうち少なくとも１つの部が、圧入により固定される構造
のうち少なくとも一方の構造を有することにより、管理や運搬を容易にできる、
請求項１、又は２に記載の社交ダンス練習器具。
【請求項４】
前記擬似パートナー具は、
ａ．前記男性身体具側にある盤状胴体部基本部と、
ｂ．前記背中部、前記肩甲骨・上腕部のうち、
少なくとも１つの部が存する盤状胴体部伸張部を有し、
ｃ．前記盤状胴体部基本部に対し、前記盤状胴体部伸張部を移動できる、
構造を有することにより、サイズを調節できる構造の
請求項１、２、又は３に記載の社交ダンス練習器具。
【請求項５】
前記擬似パートナー具は、
ａ．前記擬似パートナー具が、前記男性の鳩尾部付近方位から、右腹の右脇腹側付近の方位までの間で、並進し独立に回転する、前記男性の胴体の長径方向の範囲は、５−６０ｃｍの範囲、
ｂ．前記男性の胴体の長径方向と、前記擬似パートナー具の左・右脇腹部の長径方向との角度のずれが０−７５度の範囲、
ｃ．前記擬似パートナー具を保持する前記男性の前記右手に加えられる負荷が
５０−１０００グラムの範囲、
ｄ．前記男性の前記右手が保持する、前記背中部、前記肩甲骨・上腕部の傾斜が、前記基盤の前記男性身体具側から見て、後方および右斜め方向に反る方位に０−３０度の範囲、
ｅ．前記基盤、前記ボディフォロー構造、あるいは前記ボディリード構造の、床に垂直な方向の高さは、１ｍｍ−２００ｍｍの範囲
の中から選ばれた範囲を有する、形状と構造の、
請求項１、２、３、又は４に記載の社交ダンス練習器具。
【発明の詳細な説明】
【技術分野】
【０００１】
本発明は、社交ダンス−モダン部門のダンスを踊る男性が、姿勢を作り、練習するための、社交ダンス練習器具に関する。
本発明は、男性の鳩尾付近と右腹の脇腹側の間を、擬似パートナー具が男性の右手でポジションを変えて動かされる、構造、機能と作用を有する。本発明は、ガイドに沿って動く倣い構造、あるいはスライダクランク機構などのリンク機構により、擬似パートナー具が、床に水平に並進させられ、独立に回転させられる構造を有する。
【背景技術】
【０００２】
従来、女性の鳩尾を近似する部位が、男性の鳩尾付近と右腹の脇腹側の間を、男性の右腹に沿って、床に水平に並進し、かつ独立に回転する構造と機能を有する、社交ダンス練習器具はなかった。
【先行技術文献】
【特許文献】
【０００３】
【特許文献１】特許第３７９６６２０  社交ダンス用フォーム矯正具
【特許文献２】特許公開平９−１９２２７９  ダンス練習用姿勢矯正装置
【特許文献３】実用新案公開平０７−０４４０２４  ペアウエア
【特許文献４】実用新案公開昭６１−１０３１６７  社交ダンスなどの姿勢矯正具などの文献が、開示されている。
【非特許文献】
【０００４】
社交ダンス−モダン部門の技術に関し、
【非特許文献１】篠田学のダンス・イラストレッソン、著者：篠田学、１９９９年１月１５日初版第１刷、発行所：モダン出版株式会社
【非特許文献２】プロが教えないダンステクニック講座  モダン編／ワルツ、著者：金沢正太、２０００年３月１日初版第１刷、発行所：白夜書房
【非特許文献３】東大方式  ボールルームダンシング  完全上達プログラム、著者：三輪嘉広、２００６年１月２０日初版第３刷、発行所：白夜書房
【非特許文献４】プロが教えないダンス上達講座  モダン編、著者：金沢正太、１９９８年１２月１５日初版第１刷、発行所：白夜書房などの文献が、開示されている。
【０００５】
本発明の男性や女性は、標準的な成人の身体を持つ、とする。
［非特許文献１］２４、３１ページに示されるように、男性と通常ハイヒールを履いた女性は、お互いに右腹付近でコンタクトする。この右腹付近は、社交ダンスの分野では、アンダーバストと呼ばれる。アンダーバストは、男性や女性とも、おおよそ、鳩尾を通る水平線、臍を通る水平線、鳩尾から臍までを結んだ垂直線、および右腹の右脇腹側を通る垂直線で、囲まれた領域である。
【０００６】
したがい、アンダーバストは、おおよそ、右乳房から下がった位置にあり、垂直方向に約２０ｃｍ、右腹の周囲方向に約２０ｃｍの領域であり、右アンダーバストとも言われる。ここで、鳩尾、臍、腹、右脇腹、右乳房、などの器官を示す用語は、各々の器官が存在する、皮膚付近の領域である。
【０００７】
アンダーバスト高さで、胴体の断面の、両脇腹より前の形状は、男性や女性ともに、おおよそ、楕円柱の形状に近い。
【０００８】
男性は女性を、クローズドポジションとプロムナードポジションの間で動かして、リードする。女性の重心は、男性の胴体断面に近似される楕円柱の周囲を、床に水平に並進する。同時に、女性の重心の周りを、女性は自転する。男性から見ると、女性は回転する。
【０００９】
ここに、女性の回転は、並進とは独立な運動である。すなわち、並進の接線の角度変化と、重心軸の回転の角度変化は異なる。本発明では、運動の絶対座標の原点、（＝運動を見る視点）、を男性の鳩尾とする。
【００１０】
［非特許文献２］の中の２５、４０ページに示されるように、男性は、通常床に垂直に立つ。女性は、男性に対し、バストより上を背中方向と左肩甲骨方向に約２３度傾ける。
【発明の概要】
【発明が解決しようとする課題】
【００１１】
社交ダンス−モダンの種目の中で、クイック、ワルツ、スローフォックストロット、ウイナーワルツ、ブルースは、まとめてスイングダンスと言われる。一方、スイングしないダンスとしてタンゴがある。本発明では、男性が右手で、女性の胴体のいろいろな部位に触れてリードする、アルゼンチンタンゴは、練習種目から除外するとする。
【００１２】
男性と女性は、社交ダンスを踊る時に、絶えずポジションを変える。代表的なポジションとして、クローズドポジション（本発明では、ＣＰと呼称される）と、プロムナードポジション（社交ダンス界では、ＰＰと呼称される）がある。スイングダンスにも、タンゴにも、クローズドポジションとプロムナードポジションがある。ただし、クローズドポジションやプロムナードポジションは、規定ではなく、マナーである。
【００１３】
クローズドポジションは［非特許文献１］の２４ページや４１ページの図に示される。男性のアンダーバストの、鳩尾下から右乳房下までの領域を、本発明では、ＭＣ領域と呼称される。また、女性のアンダーバストの、鳩尾下から右乳房下までの領域を、ＷＣ領域と呼称される。クローズドポジションは、男性と女性が正面に組み、男性のＭＣ領域と、女性のＷＣ領域を接する、ポジションである。クローズドポジションでは、アンダーバストの高さで、男性の胴体の長径方向と女性の胴体の長径方向がほぼ平行である。
【００１４】
［非特許文献４］の１４９ページ下段７〜８行目にかけて、「プロムナードポジションは、二人が同じ方向を向き、体がＶの字に開いている」と、説明される。また、同じページの上段、６行目で、「５・・男性の右サイドと女性のセンターとがコンタクトしている」と説明されている。「センター」の用語に関し、３５ページ、下段、１３行目で、「男性も、センター（オヘソ）を〜〜」の記載がある。したがい、「女性のセンター」とは、女性の臍付近である。プロムナードポジションは、［非特許文献１］の２７ページ左上段の図や、１３１ページ右下段の図にも示される。これらの図で、女性の鳩尾付近から臍付近までの縦ラインが、男性の右サイドにコンタクトしていることが判る。
【００１５】
本発明において、男性のアンダーバストの、右腹の右脇腹側の領域を、ＭＰ領域と呼称される。また、女性のアンダーバストの、鳩尾下の領域を、ＷＰ領域と呼称される。プロムナードポジションは、男性と女性が、男性のＭＰ領域と、女性のＷＰ領域を接する、ポジションである。アンダーバストの高さで、男性の胴体の長径方向と女性の胴体の長径方向がＶ字の形を示す。ここで、Ｖ字の角度は、おおよそ３０度から６０度で、最大は７５度程度である。並進の進行に対しＶ字を作るタイミングや、Ｖ字の角度は、規定ではなく、マナーである。
【００１６】
女性は、クローズドポジションとプロムナードポジションの間、約５０ｃｍを、約０．５〜１．０秒の間に、並進し独立に回転する。ただし、女性が、クローズドポジションからプロムナードポジションへ移動する時も、プロムナードポジションからクローズドポジションへ移動する時も、その途中経路や、並進と独立な回転との進行時間、に関する規定はない。女性の右腹も男性の右腹も凸状である。したがい、女性が、男性の右腹と鳩尾付近をほぼ接しながら、並進する経路が、時間的に早く、再現性があり、相手の移動状況が知覚できる、経路である。
【００１７】
従い、本発明の社交ダンス練習器具では、男性は、女性の鳩尾付近を、クローズドポジションとプロムナードポジションの間を、男性の右腹にほぼ接触させて、リードするとする。本発明では、このリード状態の時、女性の重心が移動する経路は、ＣＰ−ＰＰ運動経路と呼称される。ＣＰ−ＰＰ運動経路は、規定ではなく、マナーである。
【００１８】
なお、クローズドポジションとプロムナードポジションの間を、女性の重心が、別の運動経路を移動する場合、本発明の擬似パートナー具や男性身体具の右腹相当部の形状寸法を変えることにより、別の運動経路に対応した、本発明の請求範囲を持つ、社交ダンス練習器具ができるのは勿論である。
【００１９】
擬似パートナー具は、女性のアンダーバスト高さの胴体に近似された、基盤を持ち、基盤より上にある、ダンスに必要な器官に近似される部位、を備える。
【００２０】
男性や女性の垂直身体軸は、おのおのの臍付近にある重心を通る、頭から足までの軸とする。擬似パートナー具の仮想垂直身体軸は、女性の垂直身体軸に近似された軸である。したがい、男性が右手で、擬似パートナー具をリードする時、擬似パートナー具の仮想垂直身体軸は、ＣＰ−ＰＰ運動経路に沿い並進しながら、独立に回転する。
【００２１】
男性が、女性や擬似パートナー具をリードする時、アンダーバストの高さでは、男性や女性の垂直身体軸の方向や、擬似パートナー具の仮想垂直身体軸の方向は、一致し、床に垂直な方向である。仮想垂直身体軸、ＣＰ−ＰＰ運動経路、等の位置は、物理的にみえない。しかし、これらの位置は、男性身体との対比、女性身体との対比、器具の構造、機能、使用状況、また動作原理から、推定と図によるシミュレーションで、定義される位置である。
【００２２】
男性や女性の垂直身体軸に垂直な方向や、擬似パートナー具の仮想垂直身体軸に垂直な方向は、床に水平な面にある方向である。本発明では、床に水平な面にある方向を、床に水平な方向、と称する。
【００２３】
スウエイとは、男女の体が右または左に傾斜することを意味する。ダンス技術書によると、例外もあるが、次のことが言える。
男性がスウエイしない時、女性あるいは擬似パートナー具はスウエイしない。
男性がスウエイする時、女性あるいは擬似パートナー具はスウエイする。
【００２４】
本発明では、社交ダンス‐モダン部門のダンスを単に社交ダンスと記す。また、自然体形の女性や男性の器官の、皮膚表面付近に近似される、ダンス練習器具にある部位は、女性や男性の器官＋部、という用語を用いて記載される。
【００２５】
本特許において、接触（コンタクト）とは、男性が擬似パートナー具をリードしている時に、部材と、別の部材が、対面する部位で離れないで弱く粘着や結合することである。接触線や接触面とは、二つの部材が粘着力や結合力や摩擦力により、接触している線や面である。
【００２６】
接触（コンタクト）を維持とは、二つの部材間での粘着力や結合力や摩擦力に比べ、離反力が弱いため、二つの部材が離反しないで、結合状態を継続していることである。接触（コンタクト）が維持されている時、男性が擬似パートナー具に加える力が一定以下のとき、もとの接触線や接触面の位置は変位しない。しかし、男性が一定以上の力を加えるとき、元の接触線や接触面がなくなり、別の接触線や接触面が別の位置にできる。
【００２７】
接触（コンタクト）を維持する機能をもつ部材として、共役な面ファスナー、磁性材、粘着材、リング、鎖、紐等の部材が、単独あるいは組み合わせて、利用される。これらの部材は、面に垂直な方向に引っ張られても剥がれにくい。これらの部材は、水平にずれやすい、端から剥がれやすいなどの性質を持つ。また、摩擦係数が高い、表面が粗い、板や柱なども利用される。
【００２８】
また、ふたつの軸が平行という意味は、完全な平行という意味ではなく、眼で見て平行らしいと思える平行である。ふたつの軸が垂直という意味は、完全な垂直という意味ではなく、眼で見て垂直らしいと思える垂直である。
【００２９】
右手を擬似パートナー具から離す、とは右手を離し、右手を全く使わないということである。右手で背中部、肩甲骨・上腕部を押さないリード、とは、右手で擬似パートナー具をリードしているが、右手で背中部、肩甲骨・上腕部を男性方向に押してはいないリード動作であり、たとえば引き上げ、押しだしなどのリード動作のことである。ここで、肩甲骨・上腕部は、肩甲骨と上腕の付け根にある腋だけに近似した部品を、意味することもある。
【００３０】
本発明は、［非特許文献１］３８、３９、４０、４１、１８８、１８９ページを参考にすると、
１：男性と女性が各々のアンダーバスト付近の右腹でわずかに接する。
２：スイングダンスの時、男性は右掌を女性の左肩甲骨に軽くあてる。
タンゴの時、        男性は右掌を女性の背中中央に軽くあてる。
３：男性は右前腕や手首で、女性の左腋や左上腕を下から軽く支える。
という３箇所のコンタクトがある。これらのコンタクトは、男性や女性が意思を持って接触する、協働作業である。本発明は、これらのコンタクトを使い、女性をリードする技術を、男性一人で練習する社交ダンス練習器具に関する。
【００３１】
社交ダンスを踊るため、男性の上体姿勢を直立に保持するフォーム矯正具に関する、［特許文献１］がある。この特許は、男性がリング状部位にある規定の背面位置に、右手を添え、ハンド保持部に、左手を添える。この特許は、男性の正面にフォーム矯正具を保持する支持手段や、構造を持つ。踊り手の正面側と「規定」の背面位置との距離は一定の構造である。
【００３２】
しかし、［特許文献１］と本発明請求項１とは形状、構造、機能、作用が異なる。本発明は、盤状胴体部を基盤とし、表面加工がされている背中部や肩甲骨部を備える。男性の右手で擬似パートナー具を操作する位置は、基盤の上に明確に指定される。擬似パートナー具が動かされる位置や経路は、男性の右腹付近にある。擬似パートナー具が動かされる範囲は、クローズドポジションとプロムナードポジション（ＣＰとＰＰ）の間である。そして、並進と回転は独立した動きである。
【００３３】
本発明は、男性が、ボディリード構造とボディフォロー構造を接触させる。男性が、男性の垂直身体軸に垂直な方向に、すなわち床に水平に、擬似パートナー具をリードできる構造である。また、男性が擬似パートナー具にスウエイを伝えて練習できる構造である。とくに、擬似パートナー具の女性腹部は、男性に対しＶ字形に開いた、プロムナードポジションに位置することができ、擬似パートナー具は、実際のダンスのようにリードされる。
【００３４】
［特許文献１］に開示されたフック金具、［特許文献２］に開示された固定グリップなどを用いた支持方法からは、本発明の構造、機能、作用、支持構造を当業者が容易に想到できない。
【００３５】
［特許文献３］の中にペアウエア技術が述べられる。柔軟な伸縮自在継ぎ手が用いられ、ゴムなどの耐水材料により構成される。しかしながら、［特許文献３］の技術は人間間を連結する技術である。相互が接近と離反しながら運動することを制御する技術であり、相互の軸を保つ、ＣＰ−ＰＰ運動経路を設定する、構造はない。
【００３６】
［特許文献４］の中に、社交ダンスなどの姿勢矯正具技術が述べられる。［特許文献４］の技術は、本発明の技術とは、目的、材料、構造、機能、作用、効果の点で異なる技術である。
【課題を解決するための手段】
【００３７】
本発明の目的は、ポジションを変えて練習でき、スウエイを伝えて練習でき、男性が姿勢を矯正できる、練習器具を提供することである。
【００３８】
第１の課題解決手段は、
男性と女性が組んだまま踊る社交ダンスにおいて、
Ａ．擬似パートナー具は、
ａ．後傾する自然体形の前記女性の身体の、アンダーバスト付近の高さにある胴体に、そのままあるいは部分的に盤状に、近似された盤状胴体部を基盤として備え、
ｂ．前記基盤は、前記アンダーバストの高さにある、背中中央に部分的に近似された背中部、あるいは左肩甲骨から左上腕までに部分的に近似された肩甲骨・上腕部のうち、少なくとも一方を備え、
ｃ．前記背中部あるいは前記肩甲骨・上腕部のうち、少なくとも一方の表面は、前記女性が持つ前記背中中央、前記左肩甲骨から前記左上腕までの表面形状とは異なる、表面処理がされた凹凸表面、
あるいは前記表面に取り付けられた突起、握り、庇板、
あるいは前記表面から取り除いて形成された引っ掛かり部位、
などからなる、落下防止部材のうち、少なくとも一方を備え、
ｄ．前記基盤は、ボディフォロー構造を備え、
前記ボディフォロー構造と、男性身体具が備えたボディリード構造が、床に垂直あるいは床に水平な方向の、表面に面ファスナーや磁性材や粘着材などの接触維持部材を付着した、あるいは間隙の摩擦抵抗を大きくした、接触線あるいは接触面を持つ構造により、接触を維持し、
これにより、前記擬似パートナー具の仮想垂直身体軸は床に垂直に保つことができ、
ｅ．前記ボディフォロー構造は、伸縮性あるいは変形性を有することもある、女性側トレース設置部と女性側トレース部か、女性側揺動部と女性側接触部か、のうち少なくとも一方を備え、
ｆ．前記女性側トレース部は、前記ボディリード構造が備えた男性側トレース部と協働し、前記擬似パートナー具がクローズドポジションとプロムナードポジションの間を並進し独立に回転する運動経路（本発明では、ＣＰ−ＰＰ運動経路と呼称される）を倣う、構造（本発明では、この構造を倣い構造と呼称する）を構成し、
前記女性側トレース設置部は、前記女性側トレース部を、前記倣い構造に設置し、
ｇ．前記女性側接触部は、前記女性のアンダーバストの表面を近似する柱体からなり、男性側接触部と床に垂直な接触面を有し、
前記女性側揺動部は、前記ボディリード構造が備えた男性側揺動部と、伸縮材、連結材、スライド連結材、回転軸、軸受、蝶番、歯車、クランク機構などのリンク機構材を共有し、
Ｂ．前記男性身体具は、
ａ．前記男性のアンダーバスト付近の腹に装着される、腹パッチあるいは冶具ベルトのうち少なくとも一方を備え、
ｂ．前記腹パッチあるいは前記冶具ベルトのうち少なくとも一方は、前記ボディリード構造を備え、
ｃ．前記ボディリード構造は、伸縮性あるいは変形性を有することもある、男性側トレース設置部と前記男性側トレース部か、前記男性側揺動部と前記男性側接触部か、のうち少なくとも一方を備え、
ｄ．前記男性側トレース部は、前記女性側トレース部と協働して、前記倣い構造を構成し、
前記男性側トレース設置部は、前記男性側トレース部を、前記倣い構造に設置し、
ｅ．前記男性側接触部は、前記男性のアンダーバストの表面を近似する柱体からなり、前記女性側接触部と床に垂直な接触面を有し、
前記男性側揺動部は、前記女性側揺動部と、リンク機構材を共有し、前記女性側揺動部と協働して、前記擬似パートナー具が前記ＣＰ−ＰＰ運動経路に沿い並進し独立に回転する構造（本発明では、並進回転機構と呼称される）を構成し、
Ｃ．前記男性が、前記擬似パートナー具を右手でリードする時、
ａ．前記倣い構造か、あるいは、
ｂ．前記並進回転機構、のうち、少なくとも一方により、
前記男性が、前記擬似パートナー具を、前記ＣＰ−ＰＰ運動経路に沿い並進し独立に回転させ、床に水平な面内でリードできる、社交ダンス練習器具
である。
【００３９】
男性が、擬似パートナー具に存する背中部あるいは肩甲骨・上腕部に回転力と並進させる力を加え、右手で擬似パートナー具をリードする。本発明で、ボディフォロー構造とは、擬似パートナー具の構造のうち、男性身体具に存するボディリード構造と接触される部分構造である。それは、擬似パートナー具の基盤に備えられる。
【００４０】
本発明で、ボディリード構造とは、男性身体具の構造のうち、擬似パートナー具に存するボディフォロー構造と接触される部分構造である。それは、男性身体具の腹パッチあるいは冶具ベルトに備えられる。
【００４１】
本発明では、クローズドポジションとプロムナードポジションの移動範囲にある、始点や終点はＣＰ−ＰＰ運動経路に含まれることにする。移動範囲を制限する遮蔽物、突起等は、ボディフォロー構造やボディリード構造を構成する部材に含まれる。これらの遮蔽物、突起等は実施例で記載する。もちろん、移動範囲を制限する構造が、ＣＰ−ＰＰ運動経路より広めに作成されることは容易である。
【００４２】
［非特許文献３］の１４８、１４９ページに、実際に踊る時、男性の右前腕が女性の左腋、左上腕を軽く吊るし上げること、および、男性の右手にかかる感覚的な負荷は、平均的には約２００グラム重であることが、記載されている。
【００４３】
反作用で、ダンスを踊る女性は、通常平均的に約２００グラム重の力を背中、肩甲骨、左上腕に受け踊る。擬似パートナー具による男性の右手にかかる力を約２００グラム重にして、練習することが実際的である。擬似パートナー具の重量を重くして長期練習すると、男性の右腕に負担がかかりすぎ、身体上の障害が出る。重量があまり軽くても、実際の使用状況と異なる。よって、せいぜい、男性の右手にかかる力は、最小５０グラムから最大１０００グラム重程度がよい。
【００４４】
擬似パートナー具を構成する軽量なパーツは、空気を充てんした人体、紙や布で作成した人体、比重の低い木材、発泡樹脂、合成樹脂などで作成される。もちろん、コストの低減を図るために、いくつかの部位の形状を、まとめ、一体成型技術を用いて作成できる。
【００４５】
擬似パートナー具は、例えば、発泡樹脂で作成された、マネキン、人台などを用い、自然体形の女性の身体に近似しても、できる。
【００４６】
擬似パートナー具の基盤は、アンダーバスト付近の高さにある、背中中央に部分的に近似された背中部、あるいはバスト付近以上の高さにある、左肩甲骨から左上腕までに部分的に近似された肩甲骨・上腕部のうち、少なくとも一方を備える。男性は、右手を背中部に触れ、スイングダンスを練習できる。また男性は、右手を肩甲骨・上腕部に触れ、タンゴを練習できる。少なくとも一方の練習が可能である。
【００４７】
盤状胴体部である基盤は、水平切断面形状でなく、女性の垂直身体に斜に切断した形状にも近似できる。この場合、背中部や肩甲骨・上腕部、及び女性腹部のみの簡素化した構造ができ、部材の使用量が減り、製作工程が少なくなり、コストが安くできる。
【００４８】
女性が左前腕を男性の右上腕上側に沿わせるコンタクトは、おもに女性の役目で、男性にとっては重要でない。本発明の擬似パートナー具は女性の左前腕の部位を含まない。
【００４９】
また、擬似パートナーの形状は、請求項１の構成要件に加えて、胸、両腕、手首、頭などの形状を加えて、自然体形の女性の身体にできるだけ近似して、作られることもできる。この場合は、男性は、より女性の身体を連想しながら練習できる。
【００５０】
男性は、１曲２分から３分間の間、頭の先から足の先まで体を使い練習する。右肩から右腕右掌までの筋肉を、時には短期間、弛緩することも必要である。この弛緩時に、女性は自力で姿勢を保ち続ける。一方、弛緩時に、擬似パートナー具は傾き、姿勢を変え、落下して、男性は練習に支障をきたす危惧がある。
【００５１】
この問題を解決するため、本発明では、背中部あるいは肩甲骨・上腕部のうち、少なくとも一方の表面形状は、女性が持つ背中中央、左肩甲骨から左上腕までの表面形状とは異なる。表面に、表面処理がされた凹凸表面、あるいは前記表面に取り付けられた突起、握り、庇板、あるいは表面から取り除いて形成された引っ掛かり部位、などの落下防止部材のうち、少なくとも一方を備える。また、背中中央、あるいは左肩甲骨から左上腕付近を切り取り、その縁端を手にかける構造も、本発明の落下防止材とする。
【００５２】
この構造により、男性は、右手を常に背中部あるいは肩甲骨・上腕部に触れて、擬似パートナー具を支えている必要はない。男性は、擬似パートナー具を柔軟にホールドすることにより、実際に近い練習ができる。
【００５３】
背中部あるいは肩甲骨・上腕部を押す力、約２００グラム重、はかならずしも一定でない。押す力は極端な場合は０の時も生ずる。男性は、右手を瞬間的に弛緩し、擬似パートナー具を押す力を０にしても、男性の右手に擬似パートナー具がひっかかるので、擬似パートナー具を落とすことはない。擬似パートナー具を垂直に維持しながら、練習を継続することが可能となる。
【００５４】
まず、請求項１、Ｃ、ａ．に記載した、擬似パートナー具が、ＣＰ−ＰＰ運動経路に沿って、導かれる構造に関して説明する。ＣＰ−ＰＰ運動経路は、擬似パートナー具の仮想垂直身体軸が、並進し独立に回転する時に移動する、経路である。ここで、ＣＰ−ＰＰ運動経路を倣う経路、の意味は以下による。
【００５５】
擬似パートナー具に、仮想の重心を通らない、別の垂直身体軸を想定する。別の垂直身体軸が、ある軌跡、を運動する時、擬似パートナー具が、ＣＰ−ＰＰ運動経路を運動するのとまったく同じ運動をするならば、ある軌跡を、ＣＰ−ＰＰ運動経路を倣う経路（本発明では、倣い経路と呼称する）、と定義する。したがい、別の垂直身体軸に、倣い経路を運動させる、ボディフォロー構造とボディリード構造が倣い構造であり、その構成部材が倣い部材である。倣い部材には、倣い経路を提供する部材と、倣い経路を倣う部材がある。
【００５６】
例えば、ボディリード構造の中の、男性側トレース部は、倣い経路を提供する部材を有する、構造と機能を持つ。
男性側トレース設置部は、擬似パートナー具がＣＰ−ＰＰ運動経路に沿って動くように、男性側トレース部を男性身体具中の適切な位置に設置する、構造と機能を持つ。ここで、男性側トレース設置部と男性側トレース部は、実施例によっては、ボディリード構造が持つ形状として一体化できる。
【００５７】
ボディフォロー構造の中の、女性側トレース部は、男性側トレース部にある倣い経路を倣う部材からなる、構造と機能を持つ。女性側トレース設置部は、擬似パートナー具がＣＰ−ＰＰ運動経路に沿って動くように、女性側トレース部を擬似パートナー具中の適切な位置に設置する、構造と機能を持つ。ここで、女性側トレース設置部と女性側トレース部は、実施例によっては、ボディフォロー構造が持つ形状として一体化できる。
【００５８】
倣い経路を提供する部材は、曲線、曲面、溝、ワイヤ、リングなどの、形状、構造を有する。反対に、女性側トレース部に、倣い経路を提供する部材があり、男性側トレース部に、倣い経路を倣う部材がある構造もある。その構造例は、後の実施例で示す。
【００５９】
男性側トレース部の倣い経路を提供する部材と、倣い経路を倣う女性側トレース部とが接触する構造において、男性が擬似パートナー具をリードしないとき、倣う部材は動かない。その構造は、いったんリードされだすと、倣う部材はスムーズに動く、かつ擬似パートナー具の仮想垂直身体軸は垂直に維持される、構造である。
【００６０】
男性は、男性身体具が備えられた腹パッチあるいは冶具ベルトを装着する。男性は、右手を用い、男性側トレース部にある、倣い経路を提供する部材に、女性側トレース部にある、倣い経路を倣う部材を密着し、接触させる。
【００６１】
ボディフォロー構造の中の女性側トレース部や女性側トレース設置部と、ボディリード構造の中の男性側トレース部や男性側トレース設置部が、床に垂直あるいは床に水平な方向に、長い接触線あるいは広い接触面を有する構造を、作成する。さらに、接触線あるいは接触面を、複数個所、離れた位置に作成すれば、より、接触はより安定する。
【００６２】
この接触線あるいは接触面の表面に、圧着した時固着しやすく、擬似パートナーの背中部あるは肩甲骨・上腕部の力をかけた時剥離しやすい、性能をもつ接触維持部材、たとえば、粘着材、磁性体などを塗布すれば、接触はより安定する。さらに、接触線あるいは接触面を、複数個所離れた位置に作成する、また、床に垂直な方向と垂直な方向に混在して作成すれば、接触の維持はより安定する。男性が、右手を擬似パートナー具から離しても、擬似パートナー具は、回転する、あるいは傾くことはない。男性や女性が意思を持って接触する、協働作業と同様の協働作業が、男性身体具と擬似パートナー具との間にできる。
【００６３】
接触線や接触面の方向が床に垂直な構造の場合、接触線や接触面の床に垂直な方向の長さは、約５ｍｍから２００ｍｍ程度である。この長さがあまり短く、接触の部材の粘着力や結合力が弱い場合、擬似パートナーの垂直性を維持できなくなる。またあまり長い場合、余分なコストや体積が必要となり、骨盤より下に存在するので下肢の運動の妨げとなる。
【００６４】
接触線や接触面の方向が床に水平な構造の場合、接触線や接触面の床に水平な方向の長さは、約２ｃｍから５０ｃｍ程度にできる。たとえ、接触維持部材がなくとも、重力による摩擦抵抗があるので、接触線や接触面は自然に滑ることなくかつ容易に水平に移動され、擬似パートナーの垂直性を維持できる。
【００６５】
基盤の厚さが約１ｍｍでも、接触線や接触面が水平方向に、１か所あたり約２ｃｍＸ１０ｃｍの面積であれば、擬似パートナーは、垂直性を維持できる。すなわち、ボディフォロー構造と、ボディリード構造が、床に垂直あるいは床に水平な方向の、接触線あるいは接触面を持つ。そして、接触線あるいは接触面は、表面に接触維持部材を付着しあるいは間隙を狭くした構造を有する。その結果、ボディフォロー構造と、ボディリード構造が接触を維持する。これにより、前記擬似パートナー具の仮想垂直身体軸は床に垂直に保つことができる。
【００６６】
かかる接触線あるいは接触面を有する、接触を維持する構造により、前記擬似パートナー具の仮想垂直身体軸は床に垂直に保つことができる。床に垂直な方向の接触面か、あるいは床に水平な方向の接触面かは、実施例により異なる。また、接触線あるいは接触面は、擬似パートナー具が並進し独立に回転するとともに、刻々位置は変わる。
【００６７】
その結果、ＣＰ−ＰＰ運動経路に沿い、水平面内で、男性の右手で、擬似パートナー具あるいは基盤をリードし、動かすことが可能となる。ここで、男性側トレース部と女性側トレース部の密着の程度は、ある程度ゆるくされることにより、疑似パートナー具の重心の周りの自転による角度変化と、並進する曲線の接線の角度変化は、独立に変えられる。例は後に述べられる。
【００６８】
ここに、冶具ベルトは、ズボンを締めるベルトとは異なる、アンダーバスト付近の腹に装着されるベルトである。腹パッチとは、布地、皮地、切れはしなどのあてがい部材である。腹パッチは、衣服やズボンを締めるベルトに、アンダーバスト付近の腹上で、粘着材、クリップや留め具などの固着用部材を用いて固着される。
【００６９】
腹パッチあるいは冶具ベルトは十分伸縮性や変形性がある、ゴムなどの材質で作成される。これにより、本発明の可動部分が増えるので、より並進回転機構の設計の自由度は上がる。例えば、実施例で述べる、女性側揺動部や男性側揺動部の伸縮部材を、腹パッチあるいは冶具ベルトは、補強あるいは代行できる。
【００７０】
次に、請求項１、Ｃ、ｂ．に記載した、女性側接触部が男性側接触部に接触を維持し、並進回転機構により、擬似パートナー具が、ＣＰ−ＰＰ運動経路に沿い並進し独立に回転する、構造が説明される。以後、女性側接触部は、少なくとも女性の鳩尾付近を近似する。
【００７１】
ボディフォロー構造は、伸縮性あるいは変形性を有することもある、女性側揺動部と女性側接触部を備える。女性側接触部は、女性のアンダーバストの表面を近似する柱体の部材からなり、男性側接触部と床に垂直な接触面を持つ。
【００７２】
女性側揺動部は、伸縮材、連結材、スライド連結材、回転軸、軸受、蝶番、歯車、クランク機構などのリンク機構材などを、男性側揺動部と共有し、また、擬似パートナー具を、女性側接触部と男性側接触部を接触させながら、ＣＰ−ＰＰ運動経路上を動かす、構造と機能を持つ。
【００７３】
ボディリード構造は、伸縮性あるいは変形性を有することもある、男性側揺動部、男性側接触部を備える。男性側接触部は、男性のアンダーバストの表面を近似する柱体の部材からなり、女性側接触部と床に垂直な接触面を有する。
【００７４】
男性側揺動部は、伸縮材、連結材、スライド連結材、回転軸、軸受、蝶番、歯車、クランク機構などのリンク機構材などを、男性側揺動部と共有し、また、擬似パートナー具を、女性側接触部と男性側接触部を接触させながら、ＣＰ−ＰＰ運動経路上を動かす、構造と機能を持つ。すなわち、男性の右手が擬似パートナー具をリードした時、男性側揺動部は、女性側揺動部と協働して、並進回転機構を構成する。
【００７５】
ここで、男性側揺動部と男性側接触部は、実施例によっては、ボディリード構造が持つ形状として一体化される。また、女性側揺動部と女性側接触部は、実施例によっては、ボディフォロー構造が持つ形状として一体化される。また、男性側揺動部と女性側揺動部は、実施例によっては、ボディリード構造とボディフォロー構造が協働して持つ形状として一体化、あるいは共有化される。
【００７６】
男性が、擬似パートナー具を右手でリードする時、男性側揺動部と女性側揺動部が、伸縮、変形、並進回転することにより、擬似パートナー具が左右に並進し、独立に回転する構造ができる。同時に、女性の鳩尾付近を近似する女性側接触部が、男性側接触部に、絶えず押しつけられる構造にすることにより、床に水平な面内で、擬似パートナー具がＣＰ−ＰＰ運動経路に沿い並進し独立に回転する構造（並進回転機構）が構成される。
【００７７】
ここに、並進回転機構を構成するために、男性側揺動部や女性側揺動部がなす、伸縮、変形、並進回転の構造は、以下の考え方による。
中心にある円柱の周りを、もう一方円柱が接しながら回転するとする。一方の円柱に、固定位置で自由に自転できる垂直軸に固定された物体の軌跡はスピロデザイン、トロコイド、サイクロイド曲線の上で、自由に自転する物体の軌跡となる。いずれの物体の軌跡も、並進しながら独立して回転する軌跡である。ここで、Ｖ字の角度はおおよそ３０度から６０度で大きくない。擬似パートナー具を、男性側接触部と女性側接触部をほぼ接触させながら、独立に回転させることが、男性の右手で調節することにより可能となる。
【００７８】
いま、中心にある柱の周りを、別の柱が回転するとし、別の柱にある固定位置で自由に自転する物体の軌跡は、形状のパラメーターを変えることにより、ＣＰ−ＰＰ運動経路にきわめて近い経路にできる。ここで、物体が自転し易くするために、軸や軸受が用いられる。
【００７９】
たとえば、実施例８のように、並進回転機構を構成することができる。男性が右手で、男性の右腹付近で、男性側揺動部と女性側揺動部を用いて、擬似パートナー具の左女性腹部を中心にして回転させる。同時に、男性の鳩尾付近で、別の男性側揺動部と別の女性側揺動部を用いて、擬似パートナー具を左のほうに引き続ける。この時、擬似パートナー具は、柱状の女性側接触部は柱状の男性側接触部に接触させられ、独立に回転させられる。男性側揺動部と女性側揺動部の形状のパラメーターを変えることにより、擬似パートナー具は、ＣＰ−ＰＰ運動経路に沿い、リードされる。接触面の片側では共役な面ファスナーは次第に離れ、もう一方の側の接触面では共役な面ファスナーは次第吸い込まれ、新たな接触面で接触が維持される。
【００８０】
別の並進回転機構は、蒸気機関車で、ピストンの水平運動を車輪の回転運動の変える機構に近似し、車輪のクランク軸位置に擬似パートナー具仮想垂直身体軸をおき、連結棒の方向に基盤の水平方向を固定する構造により、構成できる。また、別の並進回転機構は、床に垂直な方向に設置された蝶番が、床に水平な方向に並進させられることにより、構成される。ここで、女性側揺動部が蝶番の軸に固定され、そして、男性側揺動部が、蝶番の軸を受ける部材に固定される。
【００８１】
他の、別の並進回転機構は、女性側揺動部、男性側揺動部を、軸間が絶えず引き寄せられる柱状の２つの歯車用いて、構成される。また、揺動する、カム機構、多節リンク、てこ機構、スライダクランク機構、偏心クランク機構、アコーデオンの鍵盤部の動き動作、ラックピニオン機構などのリンク機構を用いて、並進回転機構は構成される。
【００８２】
擬似パートナー具の運動を、途中で妨げる部材を設けることにより、擬似パートナー具のＣＰ−ＰＰ運動経路の始点、終点である移動範囲は設定される。
また、ボディフォロー構造の構成部材やボディリード構造の構成部材の伸縮量、変形量を制限することのより、移動範囲は設定される。
【００８３】
第２の課題解決手段は、
前記擬似パートナー具は、重心位置を変えるため、
ａ．バランサー部を備える、あるいは、
ｂ．バランス材が、前記擬似パートナー具に付加される、あるいは前記擬似パートナー具から除去される、
構造を有することにより、垂直性の維持の安定性を増すことができる、
請求項１に記載の社交ダンス練習器具
である。
【００８４】
男性は右手を、スイングダンスの時は擬似パートナー具の肩甲骨・上腕部で支え、また、タンゴの時は背中部で支える。スイングダンスからタンゴへ、また逆に種目が変わる時、その都度、右手と擬似パートナー具と男性身体具の接触点を結ぶ線の周りにできる、地球の重力による回転モーメントを０にできることが望ましい。
【００８５】
バランサー部で擬似パートナー具の重心位置を調節するバランサー部を備える構造により、スイングダンスとタンゴの各種目に対し、回転モーメントを０にできる。その結果、擬似パートナー具の、垂直性の維持の安定性が増す。
【００８６】
スイングダンス、タンゴの両方を考慮された位置に、重心位置を得るために、バランス材が別に付加、除去される構造により、垂直性の維持の安定性を増すことが可能である。また、盤状胴体部の一部をダンスの種目に応じて、除去可能な形状にして、バランスの良い擬似パートナー具の構造を作ることが可能である。
【００８７】
第３の課題解決手段は、
前記擬似パートナー具は
ａ．前記基盤は、薄い複数枚の前記盤状胴体部が、支柱を用い補強、積層された構造
ｂ．あるいは、厚めの前記盤状胴体部が部分的にくり抜かれた、中空構造、
ｃ．あるいは、前記背中部、あるいは前記肩甲骨・上腕部のうち少なくとも１つの部が、前記盤状胴体部から分離されないで、折りたたまれる構造、
ｄ．あるいは、前記背中部、あるいは前記肩甲骨・上腕部のうち少なくとも１つの部が、圧入により固定される構造
のうち少なくとも一方の構造を有することにより、管理や運搬を容易にできる、
請求項１、又は２に記載の社交ダンス練習器具
である。
【００８８】
擬似パートナー具の基盤の盤状胴体部を、支柱を用いて、中空構造にすることができる。たとえ、盤状胴体部に用いる１枚板の厚みは薄くても、複数枚の盤状胴体部の板の間に、支柱が用いられることにより、軽量であるにも関わらず、強度のある、厚みがある基盤が作られる。
【００８９】
擬似パートナー具は、盤状胴体部で形成された基盤に、女性のアンダーバストより上にあり、女性の背面位置にある、背中中央部、肩甲骨・上腕部のみを備え、軽量化、簡単化がされる。
【００９０】
背中部、肩甲骨・上腕部、を折りたたみ、またもとの使用時の形状に戻す構造は、蝶番、マグネットキャッチ、共役な面ファスナー、ジュラコンキャッチなどを用い、折りたたむ構造により達成できる。折りたたみ時、擬似パートナー具全体の体積を小さくでき運搬、収納が便利になる。この構造の場合、部材の散逸、紛失が防がれる。
【００９１】
背中部、肩甲骨・上腕部は、盤状胴体部に圧入構造で備えることもできる。部材が低減される。
【００９２】
擬似パートナー具の基盤を中空構造にする場合、中空構造は、背中部、肩甲骨・上腕部折りたたむ収納場所となる。この時、擬似パートナー具の体積は小さくできる。
【００９３】
第４の課題解決手段は、
前記擬似パートナー具は、
ａ．前記男性身体具側にある盤状胴体部基本部と、
ｂ．前記背中部、前記肩甲骨・上腕部のうち、
少なくとも１つの部が存する盤状胴体部伸張部を有し、
ｃ．前記盤状胴体部基本部に対し、前記盤状胴体部伸張部を移動できる、
構造を有することにより、サイズを調節できる構造の
請求項１、２、又は３に記載の社交ダンス練習器具
である。
【００９４】
盤状胴体部は、盤状胴体部基本部に対し、盤状胴体部伸張部を相対的に移動して、面積が調節される構造を有する。盤状胴体部伸張部を引き出し、または押し込むことにより、擬似パートナー具は、体格の異なるいろんな女性体形に近似できる。
【００９５】
第５の課題解決手段は、
前記擬似パートナー具は、
ａ．前記擬似パートナー具が、前記男性の鳩尾部付近方位から、右腹の右脇腹側付近の方位までの間で、並進し独立に回転する、前記男性の胴体の長径方向の範囲は、５−６０ｃｍの範囲、
ｂ．前記男性の胴体の長径方向と、前記擬似パートナー具の左・右脇腹部の長径方向との角度のずれが０−７５度の範囲、
ｃ．前記擬似パートナー具を保持する前記男性の前記右手に加えられる負荷が
５０−１０００グラムの範囲、
ｄ．前記男性の前記右手が保持する、前記背中部、前記肩甲骨・上腕部の傾斜が、前記基盤の前記男性身体具側から見て、後方および右斜め方向に反る方位に０−３０度の範囲、
ｅ．前記基盤、前記ボディフォロー構造、あるいは前記ボディリード構造の、床に垂直な方向の高さは、１ｍｍ−２００ｍｍの範囲
の中から選ばれた範囲を有する、形状と構造の、
請求項１、２、３、又は４に記載の社交ダンス練習器具
である。
【００９６】
角度のずれが０−７５度の範囲は、［非特許文献４］の１４９ページで示されるように、プロムナードポジションにおいては、上方から見ると、右腹付近高さで男性の胴体断面の長径方向と女性の胴体断面の長径方向はＶという字のように開いている、という記載内容に基づいた範囲である。ずれ最小０度はクローズドポジションの時の角度である。
【００９７】
負荷が５０−１０００グラムの範囲は、［非特許文献３］の１４８ページに記載されているように、実際に踊る時、男性の右前腕が女性の左上腕を軽く吊るし上げ、男性の右前腕の上にかかる感覚的な負荷は平均的に約２００グラム重の力である、という記載内容に基づいた範囲である。
【００９８】
反る方位に０−３０度の範囲は、［非特許文献２］の中の２５、４０ページでは、床に垂直に立つ男性に対し、女性は背中方向と左肩甲骨方向に約２３度傾ける、という記載内容に基づいた範囲である。最大３０度以上になると、男性にも女性にも負担が大きい。最小０度以下になると、ダンスを踊る女性の自然体形を想定した練習ができなくなる。
擬似パートナー具や協働する男性身体具の動作機能をこれらの模範的な範囲に設定することにより、男性はリードの具体値を把握でき、実際的な社交ダンス練習器具が達成できる。
【発明の効果】
【００９９】
本発明の社交ダンス練習器具は、男性が実際に自然体形の女性と踊っている時と同じように、右手に圧力を受ける、また、右腹付近に擬似パートナー具が並進し独立に回転する圧力を受ける、スイングダンスとタンゴの両方の練習に適した構造の擬似パートナー具である。踊りの過程で必要な動作であるポジション、スウエイなどが動的に伝えられる、社交ダンス練習器具が提供される。
【０１００】
擬似パートナー具は右手を使わなくても垂直性の維持ができ、男性はスウエイ動作をリード出来る。また、背中部、肩甲骨・上腕部は凹凸表面や落下防止部材を有しているので、男性は、背中部、肩甲骨・上腕部を常時押さなくても、擬似パートナー具を落下させることなくリード出来るので、自然な使用感が得られる。
【０１０１】
男子身体具に備えたボディリード構造と擬似パートナー具に備えた前記ボディフォロー構造が協働して機能する。擬似パートナー具は、垂直性の維持をしたまま、並進し独立に回転する動作が伝えられるので、実際の社交ダンスの動きに近いポジションにリードできる。
【０１０２】
右手を背中部で支持する位置と肩甲骨・上腕部で支持する位置は明確に区別される。擬似パートナー具にバランサー部が設けられるので、擬似パートナー具にかかる地球の重力による回転モーメントの平衡がとられる。スイングダンスとタンゴの両方に練習に適した擬似パートナー具の垂直性の維持が得られ。
【０１０３】
さらに、擬似パートナー具は、背中部、肩甲骨・上腕部を、元の形状に復元可能な折り曲げ構造、基盤に背中部、肩甲骨・上腕部などを収納可能な中空構造を有する。体積を小さくでき運搬時や収納時が容易になる効果が有る。ダンス練習器具の構成部材の取り外し、嵌合による復元する方法による体積の小型化に比較して、構成部材の管理は安全である。
【０１０４】
擬似パートナー具は、盤状胴体部基本部に対し盤状胴体部伸張部を移動して、相対的な位置を調節できる構造を有する。
【０１０５】
したがい、いろいろな体形の女性との間隔やリードの仕方が見つけられる。また、通常でない体形の女性を想定した練習ができる。あるいは男性と女性が通常より離れた組み方で踊る練習も出来る、という効果が有る。
【０１０６】
擬似パートナー具の形状を、男性と女性が実際に組んだ時に美しい、リードが伝わりやすい、といわれる寸法範囲に設定することにより、男性があるべき姿勢、動き、表現方法を養える。
【図面の簡単な説明】
【０１０７】
【図１】請求項１の、トレース機構を有する、擬似パートナー具と男性身体具からなる、社交ダンス練習器具の実施例１
【図２】背中部、肩甲骨・上腕部の請求項１の落下防止材の実施例２
【図３】請求項１の、倣い部材を有する、社交ダンス練習器具の実施例３
【図４】請求項１の、倣い部材を有する、社交ダンス練習器具の実施例４
【図５】請求項１の、倣い部材を有する、社交ダンス練習器具の実施例５
【図６】請求項１の、ボディフォロー構造とボディリード構造の表面に接触維持部材と、倣い部材を有する、社交ダンス練習器具の実施例６
【図７】請求項１の、ボディフォロー構造とボディリード構造の表面に接触維持部材と、倣い部材を有する、社交ダンス練習器具の実施例７
【図８】請求項１の、並進回転機構を有する、社交ダンス練習器具の実施例８
【図９】請求項１の、並進回転機構を有する、社交ダンス練習器具の実施例９
【図１０】請求項１の、並進回転機構を有する、社交ダンス練習器具の実施例１０
【図１１】請求項１の、伸縮性や可変変性で変形する構成部材からなり、並進回転機構を有する、社交ダンス練習器具の実施例１１
【図１２】請求項２の、社交ダンス練習器具の実施例１２
【図１３】請求項３の、社交ダンス練習器具の実施例１３
【図１４】請求項４の、社交ダンス練習器具の実施例１４
【図１５】請求項１の、並進回転機構を有する、社交ダンス練習器具の実施例１５
【図１６】請求項１の、倣い部材を有する、社交ダンス練習器具の実施例１６
【発明を実施するための形態】
【０１０８】
以下、本発明の実施例を、図を用いて説明する。複数の図にまたがり同じ番号で使われる、同じ機能や作用を有する部位や部材については、それらの部位や部材を再三説明しない。本発明を構成する部位、部材でも実施例として材料、形状、構造が異なる時は番号を用い説明する。
【実施例１】
【０１０９】
図１は、請求項１の擬似パートナー具１と男性身体具１０からなる社交ダンス練習器具の実施例を示す。男性２０は男性身体具１０を装着して擬似パートナー具１をリードする。男性身体具１０は、腹パッチ、あるいは冶具ベルト１２、男性側トレース部１４を２枚備えた、男性側トレース設置部１３を備える。男性身体具１０は、腹パッチ、あるいは冶具ベルト１２を介して、衣服の右腹付近上で、男性２０に装着される。
男性側トレース部１４の各板には、倣い経路を提供するための溝がある。
【０１１０】
点線で示された自然体形の女性３は、右腕付け根から首、左上腕、胸、背中、肩甲骨、左上腕までや、腹を含む胴体などを持つ。自然体形の女性３の胴体のうち、アンダーバストの高さの胴体の一部は、形状として盤状胴体部２、また機能として基盤２に近似される。
【０１１１】
ダンスを踊っている時の、自然体形の女性３の背中中央６は背中部７に、左肩甲骨８と左上腕９の２部位は肩甲骨・上腕部１１に近似される。擬似パートナー具１は、基盤２上に、背中部７あるいは肩甲骨・上腕部１１のうち、少なくとも一方を備える。
【０１１２】
通常、ダンスを踊っている時の女性は、バストから上半身を斜め後ろに傾ける。その姿勢に近似して、背中部７，肩甲骨・上腕部１１は斜め後ろに傾斜して立てられる。スイングダンスを練習する時、男性の右手は擬似パートナー具１の肩甲骨・上腕部１１に触れてリードする。タンゴを練習する時、男性の右手は擬似パートナー具１の背中部７に触れてリードする。
【０１１３】
アンダーバストの高さに位置する女性の腹は、擬似パートナー具１の基盤２の男性側にある女性腹部４に近似される。女性腹部４は、女性側トレース部１６を２か所備えた、女性腹部４に存する女性側トレース設置部１５を備える。
【０１１４】
女性側トレース設置部１５は、男性側トレース部１４の２枚の板の間に、密着してはさまれる。男性が、擬似パートナー具１を使用するとき、男性が、擬似パートナー具１の女性側トレース部１６、倣い経路倣う部材、を、男性側トレース部１４の溝、倣い経路、に入れる。女性側トレース部１６を動かすことにより、擬似パートナー具１はＣＰ−ＰＰ運動経路を並進し独立に回転する。
【０１１５】
ここで、男性側トレース部の溝１４の幅方向に比べ、女性側トレース部の幅は狭いか、女性側トレース部の溝方向に短い、例えば細い線、構造である。これにより、擬似パートナー具は、男性の右手で、並進による運動と、自転による回転運動が、独立に操作される。
【０１１６】
ＣＰ−ＰＰ運動経路の左側の始点は、溝の終端側で作成される。図には示さないが、溝の開放端側から女性側トレース部１６を入れたのち、右側の終点は、溝をふさぐことにより、作成される。
【０１１７】
ボディリード構造を構成する男性側トレース部１４の倣い経路を提供する溝の側面と、ボディフォロード構造を構成する女性側トレース部１６の倣い経路を倣う部材の側面が接触する面に、床に垂直な接触面ができる。また、男性側トレース部１４とボディフォロー構造を構成する女性側トレース設置部１５とが密着して接触する面に、床に水平な接触面ができる。
【０１１８】
これらの接触面の長さや幅を広くし、また密接に接触することにより、擬似パートナー具の垂直性の維持を図ることができる。本実施例で、男性側トレース部１４を２枚設けた理由は、垂直性の維持を図ることにある。したがい、基盤の厚さが約１ｍｍでも、擬似パートナーは、垂直性を維持できる。
【実施例２】
【０１１９】
図２は、肩甲骨・上腕部１１の外側表面に、掌の凹みにいれる半楕円体の突起１７、指の間に挟んだ棒１８、親指の側面にかぶさる庇板１９などの落下防止部材が設けられた、請求項１の擬似パートナー具の構造を示す。図に示していないが、背中部７にもこれらの落下防止部材、１７，１８，１９のうち、少なくとも１つが設けられる。
【０１２０】
また、図には省略されたが、背中部７や肩甲骨・上腕部１１の外側表面は、後傾する通常の前記自然体形の女性３が、持つ背中中央、左肩甲骨から左上腕までの表面形状とは異なる、表面処理がされた凹凸表面が設けられることもできる。
【０１２１】
肩甲骨・上腕部１１や背中部７は、基盤２の上に男性から見て離れる方向に斜め後ろに傾斜して立てられており、ダンスを踊る実際の自然体形の女性３、に近似しているので、男性は実際的な練習ができる。
【０１２２】
男性は、右手５で、かかる落下防止部材や表面処理がされた凹凸表面を持つ肩甲骨・上腕部１１を保持すれば、擬似パートナー具１を上方につるす。よって、男性の右手５で肩甲骨・上腕部１１を基盤の内側へ押す力を０にしても、男性は落下させることなくリードできる。同様に背中部７に落下防止部材、表面処理がされた凹凸表面を設ければ、基盤の内側へ押す力を０にしても、男性は擬似パートナー具をリードできる。
【実施例３】
【０１２３】
図３の左図に、請求項１の擬似パートナー具２１と男性身体具３０からなる社交ダンス練習器具の実施例が示される。男性身体具３０は、腹パッチ、あるいは冶具ベルト２７、男性側トレース部２４を備えた、男性側トレース設置部２３を備える。男性２０は男性身体具３０を装着して、擬似パートナー具２１をリードする。男性身体具３０は、衣服の右腹付近上で、腹パッチ、あるいは冶具ベルト２７を介して、男性２０に取り付けられる。
【０１２４】
アンダーバストの高さの胴体に位置する女性の腹は、擬似パートナー具２１の盤状胴体部２２、すなわち基盤２２の男性側にある、女性腹部２９に近似される。女性腹部２９は、女性側トレース部２６を備えた、女性側トレース設置部２５を備える。
【０１２５】
男性側トレース設置部２３に備えられた、男性側トレース部２４は、倣い経路を提供する部材である。女性側トレース部２６は、男性側トレース部２４を倣う部材である。女性側トレース部と、男性側トレース部との使用開始時における、接触は、ボディリード構造やボディフォロー構造の、構成部材を一時的に変位、変形することにより、容易に達成できる。
【０１２６】
図３の左図における、一点鎖線で示される断面が、図３の右図に示される。図３の右図に、請求項１の擬似パートナー具２１の、倣い経路を提供する部材２４や倣う部材２６の、断面が示される。ボディフォロー構造を形成する女性側トレース設置部２５や女性側トレース部２６と、ボディリード構造を形成する男性側トレース設置部２３や男性側トレース部２４との間には、床に垂直な接触面や、床に水平な接触面ができる。
【０１２７】
これらの接触面が協働して、擬似パートナー具２１と男性身体具３０の接触を維持し、擬似パートナー具２１の垂直性を維持する。女性側トレース部２６と、男性側トレース部２４が、擬似パートナー具２１の下の面にも同様にある構造とすると、擬似パートナー具２１の垂直性はより増す。したがい、基盤の厚さが約１ｍｍでも、擬似パートナーは、垂直性を維持できる。
【０１２８】
また、擬似パートナー具２１の運動方向に垂直な方向の、男性側トレース部の幅と女性側トレース部の幅に、十分差がある構造とする。これにより、擬似パートナー具は、男性の右手で、並進による運動と、自転による回転運動が、独立に操作される。[特許文献１]には、男性の右手で、並進による運動と、自転による回転運動に関し、独立に操作する技術はない。
【実施例４】
【０１２９】
図４は、部分リングとフックが用いられた、請求項１の実施例を示す図である。擬似パートナー具上の女性側トレース設置部３５に、女性側トレース部である、倣い部材である、フック３６が、擬似パートナー具の仮想垂直身体軸方向に備えられる。
【０１３０】
男性身体具上の男性側トレース設置部３３に、男性側トレース部３４が備えられる。男性側トレース部３４は、男性の垂直身体軸に水平な平面内にある、部分リングであり、倣い経路を提供する部材である。各男性側トレース部３４は、男性の垂直身体軸方向に備えられる。
【０１３１】
擬似パートナー具を使用する時は、各フック３６は各部分リング３４に引っ掛けられ、使用しない時は男性身体具から離される。女性側トレース部３６と男性側トレース部３４による接触面は、男性の垂直身体軸方向に連続した、小さな接触面、Ｅ，Ｆ，Ｇである。小さな接触面、Ｅ，Ｆ，Ｇは等価的に床に垂直な長い接触面を作る。
【０１３２】
擬似パートナー具の荷重が各フック３６を介して各部分リング３４に分散してかかり、フックが２個以上の場合、擬似パートナー具１は落下しない。各フック３６と各部分リング３４間には、フックの数だけ小さな接触面がある。
【０１３３】
男性が擬似パートナー具をリードする時、各小さな接触面Ｅ、Ｆ、Ｇは各部分リングに沿って変位し、結果的にフック３６が埋め込まれている擬似パートナー具は、男性の垂直身体軸に垂直な平面内で並進し独立に回転する。フックや部分リングを丸い線で作成せず、板状に作成すればより安定した垂直性が得られる。
【０１３４】
また、フックと部分リングの組数を増やす、縦方向の距離を長くする、１本の部分リングに対するフック数を増やせば、さらに安定した垂直性が得られる。本実施例で、男性側トレース設置部３３の突出部分は、フック３６の移動範囲を制限する機能も有し、擬似パートナー具の移動範囲が制限される。もちろん、男性側トレース部３４の一部の形状を、擬似パートナー具の移動範囲を制限する構造に、することは容易である。
【実施例５】
【０１３５】
図５は、部分リングとフックが用いられた、請求項１の実施例を示す図である。擬似パートナー具上の女性側トレース設置部３７に、女性側トレース部である部分リング３８が、擬似パートナー具の仮想垂直身体軸方向に備えられる。部分リング３８は、倣い経路を提供する部材である。
【０１３６】
男性身体具上の男性側トレース設置部３１に、男性側トレース部３２が備えられる。男性側トレース部３２は、男性の垂直身体軸に備えられた、フックであり、部分リング３８を倣う部材である。
【０１３７】
擬似パートナー具を使用する時は、各部分リングは各フックに引っ掛けられ、使用しない時は男性身体具から離される。女性側トレース部３８と男性側トレース部３２は、男性の垂直身体軸方向に連続した、小さな接触面、Ｈ，Ｉ，Ｊを作る。
【０１３８】
男性が擬似パートナー具をリードする時、各小さな接触面Ｈ，Ｉ，Ｊは各部分リングに沿って変位し、結果的に部分リング３８が埋め込まれている擬似パートナー具は、男性の垂直身体軸に垂直な平面内で並進し独立に回転する。フックや部分リングを丸い線で作成せず、板状に作成すればより安定した垂直性が得られる。
【０１３９】
本実施例で、女性側トレース設置部３７の突出部分は、フック３２の移動範囲を制限する機能も有し、擬似パートナー具の移動範囲は制限される。もちろん、女性側トレース部３８の一部の形状を、擬似パートナー具の移動範囲を制限する構造に、することは容易である。
【実施例６】
【０１４０】
図６は、擬似パートナー具４１と男性身体具４０からなる、請求項１の実施例の、床に水平な面で切断した断面図を示す。男性２０は男性身体具４０を装着して、擬似パートナー具４１をリードする。男性身体具４０は、衣服の右腹付近上で、腹パッチ、あるいは冶具ベルト４７を介して、男性２０に取り付けられる。男性身体具４０は、腹パッチ、あるいは冶具ベルト４７、男性側トレース部４４を備えた、男性側トレース設置部４３を備える。
【０１４１】
アンダーバストの高さの胴体に位置する女性の腹は、擬似パートナー具４１の盤状胴体部４２、すなわち基盤４２の男性側にある女性腹部４９に近似される。女性腹部４９と盤状胴体部４２すなわち基盤４２は同じ高さにある。女性腹部４９は、表面の接触面に接触維持部材を付着した女性側トレース部４６を備えた、女性側トレース設置部４５を備える。ここで、女性側トレース部４６と、女性側トレース設置部４５は、一体化された形状にすることもできる。
【０１４２】
すべての実施例の図中、２点鎖線の矢印線が、擬似パートナー具４１の仮想垂直身体軸が、並進し独立に回転する軌跡、ＣＰ−ＰＰ運動経路である。女性側トレース設置部４５や女性側トレース部４６、及び男性側トレース設置部４３や男性側トレース部４４の曲線形状により、男性側トレース部４４の女性腹部４９側の表面は、倣い経路を提供する、曲面となる。ここで、擬似パートナー具の独立な回転は、腹パッチ、あるいは冶具ベルト、男性側トレース設置部４３、女性側トレース部４６、女性側トレース設置部４５などの伸縮、変形で得られる。
【０１４３】
女性側トレース部４６は、倣う部材である。女性側トレース部４６の表面に付着した接触維持部材と、男性側トレース部４４の表面に付着した接触維持部材が、接触を維持することにより、擬似パートナー具４１の垂直性が維持される。
【０１４４】
接触維持部材は、共役な面ファスナー、粘着材、磁性材等で作成される。女性側トレース部４６と、男性側トレース部４４との接触面積の形状は、床に垂直な方向には長く、床に水平な方向には狭い。また接触維持部材の密度を、床に垂直な方向には薄く、床に水平な方向には濃い。
【０１４５】
かかる構造による接触面を作成することにより、女性側トレース部４６は、男性側トレース部４４を、床に水平な方向に接触を維持して倣う。また擬似パートナー具４１は、剥離、落下しない構造となる。
【０１４６】
擬似パートナー具４１をクローズドポジションにリードした時、擬似パートナー具４１は実線で描かれる。また、プロムナードポジションにリードした時、擬似パートナー具４１は点線で描かれる。擬似パートナー具４１をリードする時、女性腹部４９と女性側トレース設置部４５により形成される凹形状部分の壁に、対応する男性側トレース設置部４３の凸形状部分が当たる構造により、擬似パートナー具４１の移動範囲は制限される。
【実施例７】
【０１４７】
図７は、請求項１の擬似パートナー具と男性身体具からなる社交ダンス練習器具の他の実施例で、床に水平な面で切断した断面図を示す。男性身体具は、腹パッチ、あるいは冶具ベルト、表面の接触面に接触維持部材を付着した男性側トレース部５２を備えた、男性側トレース設置部５１を備える。男性は男性身体具を装着して、擬似パートナー具をリードする。男性身体具は、衣服の右腹付近上で、腹パッチ、あるいは冶具ベルトを介して、男性に取り付けられる。
【０１４８】
アンダーバストの高さの胴体に位置する女性の腹は、擬似パートナー具の盤状胴体部、すなわち基盤の、男性側にある女性腹部に近似される。女性腹部と盤状胴体部は同じ高さにある。女性腹部は、表面の接触面に接触維持部材を付着した女性側トレース部５８を備えた、女性側トレース設置部５７を備える。
【０１４９】
女性側トレース部５８は、女性側トレース設置部５７に軸受けを持つ、回転柱である。実施例７の社交ダンス練習器具の動作は、実施例６の社交ダンス練習器具の動作と似る。
【０１５０】
図中、２点鎖線の矢印線が、擬似パートナー具の仮想垂直身体軸が、並進し独立に回転する軌跡、ＣＰ−ＰＰ運動経路である。女性側トレース設置部５７や女性側トレース部５８、及び男性側トレース設置部５１や男性側トレース部５２の曲線形状により、男性側トレース部５２の表面は、倣い経路を提供する曲面となる。ここで、擬似パートナー具の独立な回転は、腹パッチ、あるいは冶具ベルト、男性側トレース設置部５１、女性側トレース設置部５７などの伸縮、変形で得られる。
【０１５１】
女性側トレース部５８は、男性が擬似パートナー具をリードする時、男性側トレース部５２に接しながら独立に回転し、倣い経路を倣う。女性側トレース部５８の表面に付着した接触維持部材と、男性側トレース部５２の表面に付着した接触維持部材が、接触を維持することにより、擬似パートナー具の垂直性が維持される。
【実施例８】
【０１５２】
図８は、男性の右手が擬似パートナー具をリードした時、並進回転機構を有する、社交ダンス練習器具の実施例であり、基盤の上面高さでの断面図である。図で、男性の右手がリードする時に添えられる背中部、肩甲骨・上腕部は、省略される。
【０１５３】
男性身体具は、腹パッチ、あるいは冶具ベルト、共有される伸縮材５３からなる男性側揺動部と、共有される連結材５５からなる男性側揺動部と、男性側接触部５４を備える。共有される連結材５５はスライド穴付きプレートであり、スライダクランク機構の連結棒の役目をする。伸縮材５３は、男性側揺動部と女性側揺動部の機能を有する、一体化された形状である。連結材５５は、別の男性側揺動部と別の女性側揺動部の機能を有する、一体化された形状である。
【０１５４】
ここで、男性側接触部５４と女性側接触部５６は接触する部材である。伸縮材５３からなる揺動部５３は、擬似パートナー具がＣＰ−ＰＰ運動経路で並進し独立に回転できるように、女性側接触部を、男性身体具のほうに引きつける部材である。
【０１５５】
以後の実施例の図中、２重丸は、リンク機構部材に外部から力が加わった時、リンク機構部材の動作が変わる関節、ジョイントである。一般には、独立なジョイントの数が多いほど、物体の変形の自由度は高い。伸縮材５３は、例えば、バネ材、ゴム材で作成される。伸縮性や変形性のある、冶具ベルト、男性側トレース設置部、女性側トレース設置部、男性側揺動部、女性側揺動部のうち、一部が伸縮することにより、伸縮材５３の機能を補助、代行することができる。
【０１５６】
アンダーバストの高さの胴体に位置する女性の腹は、基盤の男性側にある女性腹部に近似される。女性腹部は、伸縮材５３の他端からなる女性側揺動部と、スライド機構を有する連結材５５の他端からなる女性側揺動部と、女性側接触部５６を備える。
【０１５７】
伸縮材５３の一端は、男性の鳩尾付近で、男性身体具に方向が自由に変わるように取り付けられる。伸縮材５３の別の端は、女性腹部の右乳房部下付近で、擬似パートナー具に方向が自由に変わるように取り付けられる。
【０１５８】
連結材５５の一端は、男性の右脇腹付近で、腹パッチあるいは冶具バンドにおける位置が変えられるように、男性身体具に取り付けられる。位置が変えられる方法は、ラックピニオン、歯車、柱状摩擦車などを、連結材５５の一端側に用いれば達成できる。連結材５５の別の端は、女性腹部の左脇腹部付近で、擬似パートナー具に、スライド機構を用いて取り付けられる。連結材５５の方向は変えられる。ここに、柱状摩擦車の例は、実施例１１における、部材７２、部材７８が接触面を変えることにより、相対位置を変える機構に見られる。
【０１５９】
男性が擬似パートナー具を右手でリードする。連結棒５５は実線のようにクローズドポジションの時、長くなる。連結棒５５は点線のように、擬似パートナー具は右回転し、プロムナードポジションの時、短くなる。伸縮材５３からなる揺動部は、擬似パートナー具が男性身体具から離れないように動き、また、男性側接触部と女性側接触部が接触を維持するように働く。
【０１６０】
この時、連結材５５からなる揺動部は、擬似パートナー具を男性の右腹方向に移動させる。また、連結材５５からなる揺動部は、伸縮材５３が引っ張るために、スライド機構により擬似パートナー具を左回転させる。ここで、伸縮性や変形性のある、冶具ベルト、男性側トレース設置部、女性側トレース設置部、男性側揺動部、女性側揺動部を用いることにより、擬似パートナー具は独立に回転することができる。
【０１６１】
男性の右手が擬似パートナー具をリードした時、かかる伸縮材５３による揺動部の動作、連結材５５による揺動部の動作、男性側接触部と女性側接触部の接触の維持動作により、並進回転機構が構成される。基盤の下面にも同様の並進回転機構を構成し、男性側接触部と女性側接触部が接触する接触面に接触維持部材付着すれば、より、擬似パートナー具の垂直性の維持は増す。
【実施例９】
【０１６２】
図９は、男性の右手が擬似パートナー具をリードした時、並進回転機構を有する、社交ダンス練習器具の実施例で、基盤の上面高さでの断面図である。男性の右手がリードする時に添えられる背中部、肩甲骨・上腕部は、図では省略される。
【０１６３】
男性身体具は、腹パッチ、あるいは冶具ベルト、伸縮材６１の一端からなる男性側揺動部と、伸縮材６７の一端からなる男性側揺動部と、男性側接触部６２を備える。伸縮材６１や６７は、男性側揺動部と女性側揺動部の機能を有する、一体化された形状である。
【０１６４】
女性腹部は、伸縮材６１の他端からなる女性側揺動部と、伸縮材６７の他端からなる女性側揺動部と、女性側接触部６８を備える。ジョイント部によるリンク材料の回転により、擬似パートナー具は独立に回転できる。また、伸縮性や変形性のある、冶具ベルト、男性側トレース設置部、女性側トレース設置部、男性側揺動部、女性側揺動部を用いることにより、擬似パートナー具は独立に回転することができる。
【０１６５】
男性の右手が擬似パートナー具をリードした時、伸縮材６１による揺動部の引っ張り動作、伸縮材６７による揺動部の引っ張り動作、男性側接触部と女性側接触部の接触の維持動作により、並進回転機構が構成される。ここに、伸縮材６７の男性身体具側が、男性の右脇腹付近で、腹パッチあるいは冶具バンドにおける位置が変えられる構造にすれば、より並進回転機構の動きの精度は上がる。
【実施例１０】
【０１６６】
図１０は、並進回転機構を有する、社交ダンス練習器具の実施例である。男性の右手が擬似パートナー具をリードした時、接触維持材を表面に塗布された、男性側接触部６４と女性側接触部６６は接触を維持する。男性側揺動部と女性側揺動部は、連結チェーン６５を共有する。連結チェーン６５は、男性側揺動部と女性側揺動部の機能を有する、一体化された形状である。クローズドポジションの時、連結チェーン６５は実線のように長くなる。プロムナードポジションの時、連結チェーン６５は点線のように、擬似パートナー具は右回転し、短くなる。男性の右手が擬似パートナー具をリードした時、並進回転機構が構成される。実施例８で記載した、伸縮材の構造を加えれば、より、並進回転機構の機能が安定する。
【実施例１１】
【０１６７】
図１１は、伸縮性あるいは変形性を有することもある女性側揺動部と女性側接触部、男性側揺動部と男性側接触部を用いた、並進回転機構を有する実施例を示す。男性２０は、男性身体具８０を装着する。男性２０は、男性身体具８０に擬似パートナー具８１を接触させ、擬似パートナー具８１をリードする。
【０１６８】
男性身体具８０は、伸縮性あるいは変形性を有する、腹パッチあるいは冶具バンド７９を有する。腹パッチあるいは冶具バンド７９の男性の鳩尾付近に、伸縮性を有する揺動部７３、表面に接触維持部材を付着した接触部７４がある。腹パッチあるいは冶具バンド７９の男性の右腹付近に、伸縮性あるいは変形性を有する揺動部７１、表面に接触維持部材を付着した接触部７２がある。
【０１６９】
擬似パートナー具８１は、アンダーバスト部付近の高さにある盤状胴体部５０に近似した基盤８２を有する。基盤８２は女性腹部８４を有する。女性腹部８４の右腹部付近に、伸縮性を有する揺動部７５、表面に接触維持部材を付着した接触部７６がある。女性腹部８４の左脇腹部付近に、伸縮性あるいは変形性を有する揺動部７７、表面に接触維持部材を付着した接触部７８がある。
【０１７０】
接触部７２はおおむね丸い、床に垂直な柱形状である。接触部７８はおおむね丸い、床に垂直な柱形状である。男性２０が擬似パートナー具８１をリードする時、接触部７８は接触部７２の周りで接触を維持しながら回転する。伸縮性あるいは変形性を有する揺動部７１は、伸縮性あるいは変形性を有する揺動部７７に向かって、絶えず長さを変え方向を変え変形する。
【０１７１】
男性２０が擬似パートナー具７１を右にリードする時、接触部７８、接触部７２、揺動部７１、揺動部７７は協働して、擬似パートナー具８１を右に回転させ、かつ女性腹部８４を男性身体具の方向に近づけながら、右に移動させる。この動作は、実施例８のスライド穴が開けられた連結棒５５、あるいは実施例１０の連結チェーンの並進回転機構の動作に似る。
【０１７２】
接触部７４は、床に垂直な柱形状である。接触部７６は、床に垂直な柱形状である。男性２０が擬似パートナー具８１をリードする時、接触部７４は接触部７６と接触を維持する。伸縮性を有する揺動部７３は、伸縮性を有する揺動部７５に向かって、絶えず長さを変え方向を変え変形する。
【０１７３】
男性２０が擬似パートナー具８１を右にリードする時、接触部７４、接触部７６、揺動部７３、揺動部７５は協働して、女性腹部８４を男性身体具の方向に近づけながら、左に引っ張る。この動作は、実施例８の伸縮材５３、あるいは実施例９の伸縮材６１の並進回転機構における動作に似る。
【０１７４】
接触維持部材としては、共役な面ファスナー、粘着材、磁性材が用いられる。接触部７４と接触部７６との接触があり、接触部７２と接触部７８との接触があるので、床に垂直な方向の接触面、及び床に水平な分離した等価的に長い接触面ができる。したがい、男性２０が擬似パートナー具８１をリードする時、擬似パートナー具は安定して垂直を保つ。
【０１７５】
接触部７８や接触部７２の柱形状や半径、揺動部７１や揺動部７７の長さや伸縮率を適切に選ぶ。結果、擬似パートナー具は、ＣＰ−ＰＰ運動経路を並進し独立に回転する、社交ダンス練習器具となる。また、女性腹部８４に女性の鳩尾付近を近似し、男性身体具８０の右腹位置で接触さす構造により、より、ＣＰ−ＰＰ運動経路は明確になる。
【実施例１２】
【０１７６】
図１２は、請求項２の実施例の、基盤の部分を説明する。基盤８５は、バランス材８６と回転軸８７からなるバランサー部を有する。基盤の８５にある女性腹部は、男性身体具と接触させる、部材を有する。男性が右手を背中部７に置いてリードする時と、肩甲骨・上腕部１１に置いてリードする時では、擬似パートナー具８４の地球の重力による回転モーメントは変わる。
【０１７７】
そのたびに、擬似パートナー具８４が最適なバランスを得るように、バランス材は矢印Ｋのように回転され、動かされる。擬似パートナー具８４の一部の構成部材８８を除去するか、あるいは、他の部材を付加して、擬似パートナー具８４は使用時に最適なバランスを持つことが可能となる。
【実施例１３】
【０１７８】
図１３は、請求項３の実施例の、基盤の部分を説明する。擬似パートナー具１０１の基盤１０２は、擬似パートナー具の部材の中で主要な体積を占めるので、主要な重量を占める。
【０１７９】
擬似パートナー具１０１の全体重量を軽くするために、基盤１０２は軽い変形しにくい材料と構造を有する、ことが要求される。それゆえ、基盤１０２は、紙や発泡樹脂や薄い木板などからなる薄い複数枚の盤状胴体部を階層構造にし、部分的に支柱で補強し、形成できる。
【０１８０】
また、図１３のように、一様に詰まった部材からなる盤状胴体部の一部を除去して、基盤１０２は中空構造９９にできる。これにより、擬似パートナー具の強度を維持したまま、擬似パートナー具は軽くすることができる。
【０１８１】
擬似パートナー具１０１の基盤１０２に斜め後ろに立てた、背中部７、肩甲骨・上腕部１１は蝶番９７を用いた折りたたみ構造を有し、運搬時や収納時に、折りたたまれる。また、背中部７、肩甲骨・上腕部１１は、基盤１０２内に押し込まれる構造ができる。女性左脇腹部から突き出ている女性側揺動部は、折りたたみ構造を有し、運搬時や収納時に、折りたたまれる。また、女性側揺動部は、基盤１０２内に押し込まれる構造ができる。
【０１８２】
本発明請求項３の例では、背中部７や肩甲骨・上腕部１１は基盤１０２に蝶番９７で接続され、運搬時、収納時に折りたたまれるので、擬似パートナー具１０１の全体体積は小さくできる。背中部７、肩甲骨・上腕部１１を支持する板は、マグネットキャチ、パッチン、ジュラコンキャチ９８などで基盤１０２に強固に固定される。したがい、練習のために使用される時、男性の右手からの力と男性のアンダーバスト付近の腹からの力に対して、擬似パートナー具１０１は変形しない。
【０１８３】
折りたたみ構造を持つ背中部７は、基盤１０２の中空構造９９内に折りたたまれる。その後、折りたたみ構造を持つ肩甲骨・上腕部１１は、背中部７の上に、折りたたまれる。したがい、両者の折りたたみによる競合は起きない。
【０１８４】
また、背中部７や肩甲骨・上腕部１１は蝶番９７や部材９８で、異なる盤状胴体部板上に備えることができる。異なる盤状胴体部板は、盤状胴体部１０２の上面で、別方向に回転される。このような構造にすれば、中空構造９９がなくても背中部７と肩甲骨・上腕部１１を重ならないように折りたためるので、両者の折りたたみによる競合は起きない。
【実施例１４】
【０１８５】
図１４は、請求項４の実施例の、基盤の部分を説明する。擬似パートナー具９１は、女性腹部がある盤状胴体部基本部９３と、背中部７、肩甲骨・上腕部１１のうち少なくとも１つの部が存する盤状胴体部伸張部９４からなる。
【０１８６】
盤状胴体部基本部９３に対し、盤状胴体部伸張部９４を移動して、相対的な位置が調節される。盤状胴体部基本部９３はボルト９６を備える。盤状胴体部伸張部９４はボルトの径より十分幅の広い溝穴９５を備える。このような構造において、矢印Ｌ、Ｍの方向に盤状胴体部伸張部９４は独立に動かされる。盤状胴体部伸張部９４はナットで固定される。
【実施例１５】
【０１８７】
これまでの実施例図では、男性身体具が小型で男性身辺にあり、かつ、擬似パートナー具が楕円形状で視覚的に女性胴体を表わす、構造が示された。もちろん、男性身体具が大型で女性の背面部まであり、かつ、擬似パートナー具が小型で背中部や肩甲骨・上腕部付近を表わす、実施例もある。
【０１８８】
図１５は、これまで述べてきたと同様のリンク機構が用いられた、並進回転機構を有する、擬似パートナー具１１１と男性身体具１１０が協働する実施例である。
【０１８９】
ここで、女性のアンダーバストの表面を近似する柱体を女性の背面部付近に設置され、男性のアンダーバストの表面を近似する柱体を女性の背面部付近に設置される。
【０１９０】
男性身体具１１０は、腹パッチあるいは冶具ベルト１１７を用いて、男性身体２０に装着される。擬似パートナー具１１１は女性の背面部付近に近似された基盤を有し、女性側接触部１１８は男性側揺動部１１３に備えられた、男性側接触部１１４と接触を維持する。
【０１９１】
男性が右手でリードした時、擬似パートナー具１１１は、伸縮材からなる揺動部１１５，１１６からなる並進回転機構により、ＣＰ−ＰＰ運動経路を移動する。
【実施例１６】
【０１９２】
図１６は、請求項１の実施例１６である。男性２０のアンダーバストの表面を近似する柱体や、女性のアンダーバストの表面を近似する柱体が、女性の背面部付近に設置される。実施例１６の動作は、実施例１の動作とまったく同じである。擬似パートナー具１２１は、上下２か所に倣う部材を持つ女性側トレース部１１６を有する。男性身体具１２０は、男性側トレース設置部１２３、上下２か所に倣い経路を提供する部材を持つ男性側トレース部１２４を有する。
【０１９３】
請求項１から請求項５までの実施例は、基盤の上方にアンダーバスト付近より上方の部位を備える例である。しかし、本発明から、基盤の下方にアンダーバスト付近より下方の部位を備えた構造ができることは容易である。アンダーバスト付近より下方の部位を備える構造の社交ダンス練習器具を用いれば、アルゼンチンタンゴのように、女性の腰、右脇、左脇などを右手で保持し踊るダンスの練習が可能となる。
【０１９４】
本発明では、基盤はアンダーバスト付近位置にある。しかし、基盤を骨盤などの低い部位に近似した構造にし、骨盤から上の女性の身体に近似する、本発明の社交ダンス練習器具が作成できるのは、もちろんである。
【０１９５】
本発明では、自然体形の女性の身体の器官に近似する部位は、右手で保持する少なくとも背中部あるいは肩甲骨・上腕部の一方である。しかし、男性の左手で女性の右手のてのひらを保持しリードできる、構造が付加できることはもちろんである。
【０１９６】
ダンス練習器具をクローズドポジションとプロムナードポジションの間でリードするにあたり、腹パッチ、冶具ベルトが、男性の周りに回転し、倣い構造となることもできる。かかる本発明の部材で述べた社交ダンス練習器具を、本発明が含むのは当然である。
【０１９７】
本発明には、腹パッチ、冶具ベルトが男性身体具の構成要件であるとして記載された。しかし、冶具ベルトを用いないで、ズボンを締めるベルトやバンドを用いた、本発明の男性身体具の機能を持つ、社交ダンス練習器具を、本発明が含むのは当然である。
【０１９８】
たとえば、女性がしばらく男性の骨盤の長半径方向に平行に動いたのち、最終段階で急に回転するなどの経路もある。かかる女性の移動、回転を近似する、本発明の技術で述べた社交ダンス練習器具を、本発明が含むのは当然である。
【０１９９】
基盤が有する、伸縮性あるいは変形性を有する揺動部、表面に接触維持部材を付着した接触部、伸縮性あるいは変形性を有する揺動部、表面に接触維持部材を付着した接触部、及び腹パッチあるいは冶具ベルトが有する、伸縮性あるいは変形性を有する揺動部、表面に接触維持部材を付着した接触部、伸縮性あるいは変形性を有する揺動部、表面に接触維持部材を付着した接触部、等の部材に、
通常変形しないリンク機構部材がする、並進回転する、カム機構、多節リンク、てこ機構、スライダクランク機構、偏心クランク機構、アコーデオンの鍵盤部の動き動作、ラックピニオン機構、と同様の作用をさせれば、いろいろな構造の並進回転機構が構成され、本発明が実現できるのは勿論である。
【符号の説明】
【０２００】
１、２１、４１、８１、８４、９１、１０１、１１１、１２１    擬似パートナー具
２、２２、４２、８５、９２、１０２    基盤、盤状胴体部
３    自然体形の女性
４、２９、４９、８４    女性腹部
５０  アンダーバストの高さの胴体
５    右手
６    背中中央
７    背中部
８    左肩甲骨
９    左上腕
１０、３０、４０、８０、１１０、１２０    男性身体具
１１  肩甲骨・上腕部
１２、２７、４７、７９、１１７、１２７  腹パッチ、あるいは冶具ベルト
１３、２３、３３、３１、４３、５１、１２３  男性側トレース設置部
１４、２４、３４、３２、４４、５２、１２４  男性側トレース部
１５、２５、３５、３７、４５、５７  女性側トレース設置部
１６、２６、３６、３８、４６、５８、１１６  女性側トレース部
１７  突起
１８  棒
１９  庇板
２０  男性
５３、６１、７３、７１、１１３  男性側揺動部
５４、６２、６４、７４、７２、１１４  男性側接触部
５５、６７、７５、７７  女性側揺動部
５６、６８、６７、７６、７８、１１８  女性側接触部
５３、６１、６７、１１５、１１６  男性側揺動部や女性側揺動部を構成する、伸縮材
５５  男性側揺動部や女性側揺動部を構成する、連結棒
６５  男性側揺動部や女性側揺動部を構成する、連結チェーン
８６  バランス材
８７  回転軸
８８  一部構成部材
９３  盤状胴体部基本部
９４  盤状胴体部伸張部
９５  溝穴
９６  ボルト
９７  蝶番
９８  マグネットキャチ、パッチン、ジュラコンキャチ
９９  中空構造
【図１】
2010099507.tif 000003
【図２】
2010099507.tif 000004
【図３】
2010099507.tif 000005
【図４】
2010099507.tif 000006
【図５】
2010099507.tif 000007
【図６】
2010099507.tif 000008
【図７】
2010099507.tif 000009
【図８】
2010099507.tif 000010
【図９】
2010099507.tif 000011
【図１０】
2010099507.tif 000012
【図１１】
2010099507.tif 000013
【図１２】
2010099507.tif 000014
【図１３】
2010099507.tif 000015
【図１４】
2010099507.tif 000016
【図１５】
2010099507.tif 000017
【図１６】
2010099507.tif 000018